(57)【特許請求の範囲】
【請求項１】
建築物の換気通路内に不燃性邪魔板を配置して構成したダンパーに於いて、前記不燃性邪魔板を支持部材を介して支持し、かつ該支持部材の周りの所定位置に不燃性熱膨張材を設け、該不燃性熱膨張材の熱膨張によって前記支持部材が移動して前記不燃性邪魔板が自動的に落下するように構成したことを特徴とした換気用防火ダンパー。
【請求項２】
前記換気通路内に配置された前記不燃性邪魔板の元端を回動自在に取付、かつ下端が回動自在に取付けられた前記支持部材の上端で該不燃性邪魔板の先端を支持し、更に該支持部材の周りの所定位置に前記不燃性熱膨張材を設けて構成したことを特徴とした請求項１の換気用防火ダンパー。
【請求項３】
前記換気通路内に配置された前記不燃性邪魔板の元端を回動自在に取付け、かつ昇降自在に取付けられた前記支持部材の側部で該不燃性邪魔板の先端を支持し、更に該支持部材の下部の周りの所定位置に前記不燃性熱膨張材を設けて構成したことを特徴とした請求項１の換気用防火ダンパー。
【請求項４】
前記換気通路内に配置された前記不燃性邪魔板の先端及び元端を夫々昇降自在に取付けられた前記支持部材の側部及び下部で支持し、かつ該支持部材の下部の周りの所定位置に前記不燃性熱膨張材を設けて構成したことを特徴とした請求項１の換気用防火ダンパー。
【発明の詳細な説明】
【０００１】
【発明の属する技術分野】
本発明は建築物の換気通路内に設けられた防火用のダンパーに係り、特に換気通路内に配置された不燃性邪魔板が支持部材を介して支持されると共に、この支持部材の周りの所定位置に火災時に作動することが出来る加熱作動部材を取付けて構成した換気用防火ダンパーに関するものである。
【０００２】
【従来の技術】
従来のこの種の防火装置としては、例えば特開平７−１１９２１９号公報に示す建物の軒天部に設ける通気部の防火装置（第１公知技術）、特開平７−２７９５５４号公報に示す防火ダンパー付換気装置（第２公知技術）、或いは特開平１１−１５９０１８号公報に示す軒天井の換気構造（第３公知技術）等が知られている。
【０００３】
また、本件特許出願人が開発して特許出願した多くの発明の内の例えば特開平６−７３８２８号公報に示す天井の換気構造（第４公知技術）、特開平９−６０１８４号公報に示す軒天井の換気構造及びその構成金具（第５公知技術）、或いは特開平９−１０５２００号公報に示す防火換気構造（第６公知技術）等が知られている。
【０００４】
【発明が解決しようとする課題】
然るに、前述の第１公知技術乃至第３公知技術に於いては、全体の構造が複雑であると共に、温度ヒューズ、特殊なスプリング等を使用しなければならないので、コスト高になると共に、温度ヒューズやスプリングが一定の高温に達した際に、均一に作動することが困難であり、従って不良品が発生する等の問題があった。
【０００５】
また、前述の本件特許出願人が開発した第４公知技術乃至第６公知技術に示す技術に於いては、建築物の換気通路内の所定位置に不燃性熱膨張材を取付け、火災時等に換気通路内が一定の温度に加熱された際には、前記不燃性熱膨張材が熱膨張し、換気通路を簡単かつ確実に閉鎖し、火炎や熱気が屋内に侵入したり、或いは屋内から建物の外に排出されることを防止し得る作用効果を有していた。
【０００６】
然るに、前述の従来の不燃性熱膨張材を換気通路に設けた技術に於いては、この不燃性熱膨張材が火災時の火炎、熱気を直接に受けるので、その一部が損傷し、換気通路の遮断能力が少し下落する心配があった。また、一般的に前記不燃性熱膨張材を換気通路の入口付近に配置するので、風雨に直接触れる場合があり、その熱膨張性能が劣化する心配もあった。
【０００７】
更に、前記不燃性熱膨張材によって火災時の火炎、熱気を確実に遮断するためには、不燃性熱膨張材の膨張時の膨張密度を一定に保つ必要があり、そのために膨張の高さを１０ｍｍ程度に抑えなければならなかった。従って、このような制限があるために、大きな断面積を有する換気通路に於いては、不燃性熱膨張材を用いて換気通路を完全に閉鎖することが困難になる問題があった。
【０００８】
本発明に係る換気用防火ダンパーは、前述の従来の問題点に鑑み開発された全く新しい技術であって、特に建築物の換気通路内に配置された不燃性邪魔板が支持部材を介して支持されており、かつ支持部材の周りの所定位置に火災時に熱膨張することが出来る不燃性熱膨張材が取付けられており、該不燃性熱膨張材が熱膨張して支持部材を移動させた際に、前記不燃性邪魔板が自重で落下して換気通路を閉鎖することが出来るように構成した全く新しい防火ダンパーの技術を提供するものである。
【０００９】
【課題を解決するための手段】
本発明に係る換気用防火ダンパーは、前述の従来の問題点を根本的に改善した発明であって、その第１発明の要旨は、建築物の換気通路内に不燃性邪魔板を配置して構成したダンパーに於いて、前記不燃性邪魔板を支持部材を介して支持し、かつ該支持部材の周りの所定位置に不燃性熱膨張材を設け、該不燃性熱膨張材の熱膨張によって前記支持部材が移動して前記不燃性邪魔板が自動的に落下するように構成したことを特徴とした換気用防火ダンパーである。
【００１０】
前述の第１発明に於いては、建築物の換気通路内に不燃性邪魔板を配置し、この不燃性邪魔板を支持部材で支持すると共に、該支持部材の周りに不燃性熱膨張材を設けたので、換気通路内に火炎等が侵入して温度が一定の高温度に達した場合には、該不燃性熱膨張材が熱膨張して支持部材を移動させるので、支持部材による支持が無くなった前記不燃性邪魔板を自重によって自動的に落下させ、該不燃性邪魔板で換気通路を遮断し、これによって火炎等が換気通路を通過することを防止出来る。
【００１１】
本発明に係る換気用防火ダンパーの第２発明の要旨は、前記換気通路内に配置された前記不燃性邪魔板の元端を回動自在に取付、かつ下端が回動自在に取付けられた前記支持部材の上端で該不燃性邪魔板の先端を支持し、更に該支持部材の周りの所定位置に前記不燃性熱膨張材を設けて構成したことを特徴とした第１発明の換気用防火ダンパーである。
【００１２】
前述の第２発明に於いては、換気通路内に配置された不燃性邪魔板の元端を回動自在に取付、かつ下端が回動自在に取付けられた支持部材の上端で該不燃性邪魔板の先端を支持し、更に該支持部材の周りの所定位置に不燃性熱膨張材を設けて構成したので、該不燃性熱膨張材が火災等によって一定の高温度に達して熱膨張した場合には、支持部材が押されてその下端を中心にして回動するので、今迄支持していた前記不燃性邪魔板の先端を解放し、これによって不燃性邪魔板を自重でその元端を中心にして回動させて、この不燃性邪魔板によって換気通路を遮断し、火炎等が換気通路を通過することを防止出来る。
【００１３】
本発明に係る換気用防火ダンパーの第３発明の要旨は、前記換気通路内に配置された前記不燃性邪魔板の元端を回動自在に取付け、かつ昇降自在に取付けられた前記支持部材の側部で該不燃性邪魔板の先端を支持し、更に該支持部材の下部の周りの所定位置に前記不燃性熱膨張材を設けて構成したことを特徴とした第１発明の換気用防火ダンパーである。
【００１４】
前述の第３発明に於いては、前記換気通路内に配置された不燃性邪魔板の元端を回動自在に取付け、かつ昇降自在に取付けられた支持部材の側部で該不燃性邪魔板の先端を支持し、更に該支持部材の下部の周りの所定位置に不燃性熱膨張材を設けて構成したので、前記不燃性熱膨張材が火災等によって一定の高温度に達して熱膨張した場合には、支持部材が押上げられて上昇し、これによって前記不燃性邪魔板の先端の支持を解放するので、不燃性邪魔板は自重でその元端を中心にして回動し、この不燃性邪魔板で換気通路を遮断し、火炎等が換気通路を通過することを防止出来る。
【００１５】
本発明に係る換気用防火ダンパーの第４発明の要旨は、前記換気通路内に配置された前記不燃性邪魔板の先端及び元端を夫々昇降自在に取付けられた前記支持部材の側部及び下部で支持し、かつ該支持部材の下部の周りの所定位置に前記不燃性熱膨張材を設けて構成したことを特徴とした第１発明の換気用防火ダンパーである。
【００１６】
前述の第４発明に於いては、前記換気通路内に配置された不燃性邪魔板の先端及び元端を夫々昇降自在に取付けられた支持部材の側部及び下部で支持し、かつ該支持部材の下部の周りの所定位置に不燃性熱膨張材を設けて構成したので、該不燃性熱膨張材が火災等によって一定の高温度に達した場合には、支持部材が押し上げられて上昇し、不燃性邪魔板の先端と元端とを夫々開放するので、この不燃性邪魔板は自重で落下して換気通路を遮断し、火炎等が換気通路内を通過することを防止出来る。
【００１７】
【発明の実施の形態】
図により本発明の一実施例を具体的に説明すると、図１（ａ），（ｂ）は本発明の第１実施例のＡ型防火ダンパーを軒天井のほぼ中央部に取付けた状態の縦断面説明図、図２（ａ），（ｂ）は本発明の第２実施例のＢ型防火ダンパーを軒天井の元部に取付けた状態の縦断面説明図、図３（ａ），（ｂ）は第２実施例のＢ型防火ダンパーを軒天井の先端部に取付けた状態の縦断面説明図である。
【００１８】
図４は本発明の第２実施例のＢ型防火ダンパーを屋根の棟に取付けた状態の縦断面説明図、図５は図４のＢ型防火ダンパーが作動した状態の縦断面説明図、図６（ａ），（ｂ）は本発明の第３実施例のＣ型防火ダンパーを軒先に取付けた状態の縦断面説明図、図７（ａ），（ｂ）は第３実施例のＣ型防火ダンパーを軒天井の元部に取付けた状態の縦断面説明図である。
【００１９】
図８は本発明の第４実施例のＤ型防火ダンパーを換気用ガラリに取付けた状態の縦断面説明図、図９は図８のＤ型防火ダンパーが作動した状態の縦断面説明図である。
【００２０】
［実施例１］
図１（ａ），（ｂ）に於いて、１は建物の屋根、２は鼻隠し板、３は軒天井板であり、この軒天井板３のほぼ中央部には換気口４が設けられている。５は第１実施例のＡ型防火ダンパーであって、軒天井板３の換気口４の周りにビス、ボルト６及び木片７を介して取付固定されている。
【００２１】
８はＡ型防火ダンパー５の基板であり、前記換気口４に対応する部分には通気孔９が穿設されている。１０は不燃性の邪魔板であって、その元端１０ａは図示しない軸棒等を介して前記基板８に回動自在に取付られている。
【００２２】
１１は支持部材であって、その先端部１１ａはカギ状に折れ曲がっており、かつその支持部材１１の元端部は支柱１２に取付けられた軸棒１３によって回動し得る如く取付けられている。そしてこの支持部材１１は通常の状態では垂直に起立されており、かつ垂直に起立されている時には、その先端部１１ａで前記邪魔板１０の先端部１０ｂを下方から支持することが出来るように構成されている。
【００２３】
前記支持部材１１の周りの換気口４の縁に沿っては、起立板１４が起立突設され、かつその支持部材１１側の側面には不燃性熱膨張材１５が取付けられている。この不燃性熱膨張材１５は火炎等によって一定の温度、例えば１５０℃以上に加熱された場合には膨張して、前記支持部材１１を押圧して、この支持部材１１を点線で示す方向に倒すことが出来るように構成されている。
【００２４】
従って、火災等が発生して、Ａ型防火ダンパー５の周りが一定の高温度に達した場合には、不燃性熱膨張材１５が熱膨張して支持部材１１を横方向に倒すので、その先端部１１ａは邪魔板１０の先端１０ｂから外れ、邪魔板１０を自重で落下させることが出来る。これによって邪魔板１０で基板８に設けられた通気口９を閉鎖し、火炎等が換気口４を通過することを防止出来る。
【００２５】
［実施例２］
図２（ａ），（ｂ）は軒天井板３の元端と外壁１６との間に形成された換気口４内に、第２実施例のＢ型防火ダンパー１７を嵌め込んで構成した構造を示すものであって、ビス、ボルト１９等を介して前記Ｂ型防火ダンパー１７は外壁１６に取付けられている。
【００２６】
前記Ｂ型防火ダンパー１７は外筒ケース２０とその内部に回動自在に枢着された不燃性の邪魔板２１と該邪魔板２１の先端部２１ａを支持することが出来ると共に、外筒ケース２０内で昇降し得る支持部材２２とより構成されている。
【００２７】
前記外筒ケース２０の下部には通気口２０ａが設けられ、かつその上面には通気孔２０ｂが穿設され、両者は外筒ケース２０内に設けられた換気通路Ｓで連通されている。前記不燃性の邪魔板２１の元部２１ｂは円弧状に湾曲されており、前記外筒ケース２０の湾曲端部の周りに回動自在に取付けられている。前記支持部材２２は断面がほぼＵ字型に形成されており、前記邪魔板２１の先端部２１ａに対応する側面の下部は内側に折れ曲がって段部２２ａを形成している。
【００２８】
また、支持部材２２の下面と外筒ケース２０の内底面との間には不燃性熱膨張材２３が介在されている。前記邪魔板２１の先端部２１ａは支持部材２２の側面によって支持されており、不燃性熱膨張材２３が熱膨張して支持部材２２を押し上げた際には、邪魔板２１の先端部２１ａが段部２２ａにさしかかって支持部材２２の支持から外れ、そのために邪魔板２１が自重で落下し、邪魔板２１で外筒ケース２０の通気口２０ａを閉鎖し得るように構成されている。
【００２９】
図３（ａ），（ｂ）は、前述の第２実施例のＢ型防火ダンパー１７を軒天井板３の先端と鼻隠し板２との間に設けられた換気口４内に嵌め込んで構成した構造を示すものであって、その構成、作動及び作用効果は前記図２（ａ），（ｂ）の構成、作動及び作用効果とほぼ同じであるので省略する。
【００３０】
図４は屋根１の棟部２４の両側に設けられた換気口２５に前述のＢ型防火ダンパー１７を夫々嵌め込んで構成した状態の図を示すものである。この棟部２４にＢ型防火ダンパー１７を取付けた場合の構成、作動及び作用効果は前記図２（ａ），（ｂ）の構成、作動及び作用効果とほぼ同じであるので詳細な説明は省略する。
【００３１】
また、図５は図４の棟部２４の換気口２５に於いて、Ｂ型防火ダンパー１７内の不燃性熱膨張材２３が一定の高温度で加熱膨張して支持部材２２を押し上げ、支持部材２２より外れた邪魔板２１が自重で落下し、邪魔板２１で外ケース２０の通気口２０ａを閉鎖した状態を示す説明図である。
【００３２】
［実施例３］
図６（ａ），（ｂ）は屋根１の軒先部の換気口２６に第３実施例のＣ型防火ダンパー２７を取付けた構造を示す説明図である。図中２８は鼻隠し板、２９は軒天井板である。
【００３３】
前記Ｃ型防火ダンパー２７は外筒ケース３０と、この外筒ケース３０内に昇降自在に収納された支持部材３１と、該支持部材３１によって元端と先端とが夫々支持された不燃性の邪魔板３２とによって構成されている。
【００３４】
前記外筒ケース３０の下部には通気口３３が設けられ、かつ外筒ケース３０の上面には通気孔３４が穿設され、これ等の通気口３３と通気孔３４との間には矢印で示すような換気通路Ｓが設けられている。この外筒ケース３０はボルト３５を介して鼻隠し板２８の裏側に取付けられている。
【００３５】
前記外筒ケース３０の下部内の右側には、支持部材３１の元端部３１ａを昇降自在に支持し得る小部屋３０ａと、この小部屋３０ａと連続して前記邪魔板３２の元端部３２ａを支持し得る突片３０ｂが設けられている。かつ、その下部内の右側には、支持部材３１の先端部３１ｂと、落下して来た邪魔板３２の先端部３２ｂとを夫々支持することが出来る棚部３０ｃとが夫々設けられている。
【００３６】
前記支持部材３１の元端部３１ａは、外筒ケース３０の小部屋３０ａ内に昇降自在に収納し得る如き折曲下部形状を有しており、かつこの元端部３１ａには前記邪魔板３２の元端部３２ａを上方から支持し得るアーム３１ｃが側方に向かって突設されている。また、支持部材３１の先端部３１ｂの垂直面には外側に折り曲がった段部３１ｄが設けられている。
【００３７】
前記邪魔板３２は、その元端部３２ａが支持部材３１のアーム３１ｃと外筒ケース３０の突片３０ｂとによって上下方向から挟持され、かつこの邪魔板３２の先端部３２ｂは支持部材３１の先端部３１ｂの垂直面に当接されて支持されている。
【００３８】
従って、支持部材３１が外筒ケース３０内で上昇した場合には、そのアーム３１ｃが邪魔板３２の元端部３２ａを解放し、かつ邪魔板３２の先端部３２ｂが段部３１ｄの所に来て垂直面より外れるので、邪魔板３２は自重によって落下し、邪魔板３２によって外筒ケース３０に設けられた通気口３３を閉鎖することが出来るように構成されている。
【００３９】
図中３６は不燃性熱膨張材であって、前記外筒ケース３０の小部屋３０ａの内底面と支持部材３１の元端部３１ａとの間に取付けられている。従って、この不燃性熱膨張材３６が高温度で熱膨張した際には、前述のように支持部材３１を押し上げ、邪魔板３２の元端部３２ａと先端部３２ｂとを夫々開放することが出来るように構成されている。
【００４０】
図７（ａ），（ｂ）は、前述のような構造を有するＣ型防火ダンパー２７を軒天井板３の元端部と外壁１６との間に形成された換気口４に嵌め込んで構成した構造である。従って、この部分の構成及び作用効果等はほぼ同一であるので、詳細な説明は省略する。
【００４１】
［実施例４］
図８に於いて、３６は建物の壁面に取付けられた換気用ガラリであって、枠体３７内に所定の間隔を持って複数の折曲羽根３８を並列することによって構成されている。
【００４２】
３９は第４実施例に使用されるＤ型防火ダンパーであって、前記換気用ガラリ３６の裏側に取付けられている。このＤ型防火ダンパー３９は２枚の不燃性の邪魔板４０、４１とこれ等２枚の邪魔板４０，４１の上部４０ａ，４１ａを支持するガイド部４２と、邪魔板４０，４１の下部４０ｂ，４１ｂを夫々支持する断面Ｌ状のチャンネル材４３と、該チャンネル材４３の起立内面に取付けられた不燃性熱膨張材４４とより構成されている。
【００４３】
そして、該不燃性熱膨張材４４が一定の高温度に加熱されて、図９に示す如く、熱膨張した場合には、邪魔板４０、４１の下部４０ｂ，４１ｂが夫々押圧されて移動し、邪魔板４１の下部がチャンネル材４３より外れて、その自重で落下し、枠体３７の裏側を邪魔板４０，４１によって全面的に閉鎖し、換気用ガラリ３６の通気を遮断することが出来るように構成されている。
【００４４】
前記実施例に於いて、邪魔板４０の上部は予めガイド部４２に固定しておき、邪魔板４０は落下しないように構成することが可能である。また、邪魔板４０が落下する際には、その両側縁を図示しない溝レール等で安定してガイドすることも可能である。
【００４５】
前記実施例に於ける不燃性熱膨張材としては、例えば、オーストリアケミー・リンツ社製の「インツメックス」や、特公昭６３−１３２９６８号公報或いは同平３−２３５号公報等に示す製品や技術を用いることが出来る。また、不燃性の邪魔板としては、金属板或いは不燃性樹脂板等が使用可能である。
【００４６】
【発明の効果】
本発明の換気用防火ダンパーに於いては、建築物の換気通路内に不燃性邪魔板を配置し、この不燃性邪魔板を支持部材で支持すると共に、該支持部材の周りに不燃性熱膨張材を設けたので、換気通路内に火炎等が侵入して温度が一定の高温度に達した場合には、該不燃性熱膨張材が熱膨張して支持部材を移動させるので、支持部材による支持が無くなった前記不燃性邪魔板を自重によって自動的に落下させ、該不燃性邪魔板で換気通路を遮断し、これによって火炎等が換気通路を通過することを防止出来る。
【００４７】
前述の本発明の防火ダンパーに於いては、不燃性の邪魔板を使用し、火災が発生した際にはこの邪魔板を不燃性熱膨張材の熱膨張により移動して建物の換気部分、即ち換気口、換気通路等を閉鎖し、換気部分に火炎や熱気等が侵入することを防止するので、作動が容易であると共に、閉鎖或いは通路の遮断が確実である特徴を有している。更に、従来の不燃性熱膨張材のみで換気部分を閉鎖した場合に比較して、小量の不燃性熱膨張材で効率良く実施することが出来る。
【００４８】
また、不燃性邪魔板の元端を換気通路内に配置された不燃性邪魔板の元端を回動自在に取付、かつ下端が回動自在に取付けられた支持部材の上端で該不燃性邪魔板の先端を支持し、更に該支持部材の周りの所定位置に不燃性熱膨張材を設けて構成した場合には、該不燃性熱膨張材が火災等によって一定の高温度に達して熱膨張した際に、支持部材が押されてその下端を中心にして回動するので、今迄支持していた前記不燃性邪魔板の先端を解放し、これによって不燃性邪魔板を自重でその元端を中心にして回動させて、この不燃性邪魔板によって換気通路を遮断し、火炎等が換気通路を通過することを防止出来る。
【００４９】
かつ、前記換気通路内に配置された不燃性邪魔板の元端を回動自在に取付け、かつ昇降自在に取付けられた支持部材の側部で該不燃性邪魔板の先端を支持し、更に該支持部材の下部の周りの所定位置に不燃性熱膨張材を設けて構成した場合には、前記不燃性熱膨張材が火災等によって一定の高温度に達して熱膨張した際には、支持部材が押し上げられて上昇し、これによって前記不燃性邪魔板の先端の支持を解放するので、不燃性邪魔板は自重でその元端を中心にして回動し、この不燃性邪魔板で換気通路を遮断し、火炎等が換気通路を通過することを防止出来る。
【００５０】
更に、前記換気通路内に配置された不燃性邪魔板の先端及び元端を夫々昇降自在に取付けられた支持部材の側部及び下部で支持し、かつ該支持部材の下部の周りの所定位置に不燃性熱膨張材を設けて構成した場合には、該不燃性熱膨張材が火災等によって一定の高温度に達した際に、支持部材が押し上げられて上昇し、不燃性邪魔板の先端と元端とを夫々開放するので、この不燃性邪魔板は自重で落下して換気通路を遮断し、火炎等が換気通路内を通過することを防止出来る。
【図面の簡単な説明】
【図１】  （ａ），（ｂ）は本発明の第１実施例のＡ型防火ダンパーを軒天井のほぼ中央部に取付けた状態の縦断面説明図である。
【図２】  （ａ），（ｂ）は本発明の第２実施例のＢ型防火ダンパーを軒天井の元部に取付けた状態の縦断面説明図である。
【図３】  （ａ），（ｂ）は第２実施例のＢ型防火ダンパーを軒天井の先端部に取付けた状態の縦断面説明図である。
【図４】  本発明の第２実施例のＢ型防火ダンパーを屋根の棟に取付けた状態の縦断面説明図である。
【図５】  図４のＢ型防火ダンパーが作動した状態の縦断面説明図である。
【図６】  （ａ），（ｂ）は本発明の第３実施例のＣ型防火ダンパーを軒天井の先端部に取付けた状態の縦断面説明図である。
【図７】  （ａ），（ｂ）は第３実施例のＣ型防火ダンパーを軒天井の元部に取付けた状態の縦断面説明図である。
【図８】  本発明の第４実施例のＤ型防火ダンパーを換気ガラリに取付けた状態の縦断面説明図である。
【図９】  図８のＤ型防火ダンパーが作動した状態の縦断面説明図である。
【符号の説明】
１ …屋根
２ …鼻隠し板
３ …軒天井板
４ …換気口
５    …Ａ型防火ダンパー
６ …ビス、ボルト
７ …木片
８ …基板
９ …通気口
１０ …邪魔板
１０ａ…元端
１０ｂ…先端部
１１ …支持部材
１１ａ…先端部
１２ …支柱
１３ …軸棒
１４ …起立板
１５ …不燃性熱膨張材
１６ …外壁
１７  …Ｂ型防火ダンパー
１９ …ビス、ボルト
２０ …外筒ケース
２０ａ…通気口
２０ｂ…通気孔
２１ …邪魔板
２１ａ…先端部
２１ｂ…元部
２２ …支持部材
２２ａ…段部
２３ …不燃性熱膨張材
２４ …棟部
２５ …換気口
２６ …換気口
２７  …Ｃ型防火ダンパー
２８ …鼻隠し板
２９  …軒天井板
３０ …外筒ケース
３０ａ…小部屋
３０ｂ…突片
３０ｃ…棚部
３１ …支持部材
３１ａ…元端部
３１ｂ…先端部
３１ｃ…アーム
３１ｄ…段部
３２ …邪魔板
３２ａ…元端部
３２ｂ…先端部
３３ …通気口
３４ …通気孔
３５ …ボルト
３６ …換気用ガラリ
３７ …枠体
３８ …折曲羽根
３９  …Ｄ型防火ダンパー
４０ …邪魔板
４０ａ…上部
４０ｂ…下部
４１ …邪魔板
４２ …ガイド部
４３ …チャンネル材
４４ …不燃性熱膨張材
Ｓ …換気通路
【図１】
0004490530.tif 000002
【図２】
0004490530.tif 000003
【図３】
0004490530.tif 000004
【図４】
0004490530.tif 000005
【図５】
0004490530.tif 000006
【図６】
0004490530.tif 000007
【図７】
0004490530.tif 000008
【図８】
0004490530.tif 000009
【図９】
0004490530.tif 000010